(57)【特許請求の範囲】
【請求項１】
蓋を跨ぐ長さを有するように長尺に形成されたアームと、アームの一端部に取付けられ蓋の周囲の蓋設置地上面に当接されアームを回動可能に支持する支点部と、アームの他端部に取付けられ外部動力によるアームの回動力の付与を受ける受座と、アームの中途部の他端部寄りに吊持され蓋に連結される連結具とを備え、アームは連結具が吊持された位置よりも一端部寄りで受座を蓋設置地上面に近接させるようにく字形に屈曲されていることを特徴とする蓋開放具。
【請求項２】
請求項１の蓋開放具において、外部動力として蓋の周囲の蓋設置地上面に設置されるジャッキが使用され、受座はジャッキのロッドの伸張を受けるものであることを特徴とする蓋開放具。
【請求項３】
請求項１または２の蓋開放具において、連結具は蓋のフック用孔に挿入されて係止されるフックからなることを特徴とする蓋開放具。
【請求項４】
請求項３の蓋開放具において、連結具は蓋のフック用孔の形状に対応して交換可能であることを特徴とする蓋開放具。
【請求項５】
請求項１またはの蓋開放具において、連結具は蓋に固定されたネジに螺合されるネジ体からなることを特徴とする蓋開放具。
【請求項６】
請求項５の蓋開放具において、連結具はアームからの吊持の長さを調整可能であることを特徴とする蓋開放具。
【発明の詳細な説明】
【技術分野】
【０００１】
本発明は、マンホール蓋のように時々には開放されるものの閉鎖が常態とされる蓋の開放作業を補助する蓋開放具に係る技術分野に属する。
【背景技術】
【０００２】
閉鎖が常態とされた蓋では、パッキンの劣化やフレーム（蓋受枠）との間への土砂の挟入等によって、フレームに強固に密着してしまうことが起こる。このため、設計上の予定された操作力では、蓋の開放が困難になることがある。そこで、蓋の開放のために大きな操作力を発揮することのできる蓋開放具の開発が要望されている。
【０００３】
従来、蓋の開放のために大きな操作力を発揮することを指向した蓋開放具としては、例えば、特許文献１に記載のものが知られている。
【０００４】
特許文献１には、アーム（レバー）と、アームの一端部に取付けられ蓋のフック用孔に挿入されて係止されるフックと、アームの中途部の一端部寄りに設けられアームを回動可能に支持するキャスタ構造の支点部とを備えた蓋開放具が記載されている。
【０００５】
特許文献１に係る蓋開放具は、フックを蓋のフック用孔に挿入して係止させ、アームの他端部を支点部を支点として回動させることで、てこの原理でフック（蓋）に大きな操作力を作用させ蓋を開放させるものである。
【先行技術文献】
【特許文献】
【０００６】
【特許文献１】特開２００６−１６１４２３号公報
【発明の概要】
【発明が解決しようとする課題】
【０００７】
特許文献１に係る蓋開放具では、支点である支点部から力点であるアームの他端部まである程度の長さが確保されてこの原理が有効に機能するように構成されているものの、作用点であるフックが本来直上に引上げられるように開放される蓋に対して開放方向から大きく傾斜した姿勢で係止されるため、操作力のロスが大きくなって蓋，フレームの強固な密着を確実に解除するに充分な操作力を得ることができず、蓋の開放の困難性が完全には解消されないという問題点がある。
【０００８】
なお、蓋，フレームの強固な密着を確実に解除するに充分な操作力を得るには、人力ではなく外部動力によって力点にアームの回動力を付与することも想到される。然しながら、外部動力をかなり大型にする必要が生じるため、装置構成が大型化してしまうという新たな問題点が生じてしまう。
【０００９】
本発明は、このような問題点を考慮してなされたもので、装置構成を大型化させず蓋の開放の困難性を完全に解消することのできる蓋開放具を提供することを課題とする。
【課題を解決するための手段】
【００１０】
前述の課題を解決するため、本発明に係る蓋開放具は、特許請求の範囲の各請求項に記載の手段を採用する。
【００１１】
即ち、請求項１では、蓋を跨ぐ長さを有するように長尺に形成されたアームと、アームの一端部に取付けられ蓋の周囲の蓋設置地上面に当接されアームを回動可能に支持する支点部と、アームの他端部に取付けられ外部動力によるアームの回動力の付与を受ける受座と、アームの中途部の他端部寄りに吊持され蓋に連結される連結具とを備え、アームは連結具が吊持された位置よりも一端部寄りで受座を蓋設置地上面に近接させるようにく字形に屈曲されていることを特徴とする。
【００１２】
この手段では、この原理が有効に機能されるようにアームが蓋を跨ぐ長さを有したアームに第２種のてこ構造で連結具が吊持されることで、連結具が直上に引上げられるように開放される蓋に対して開放方向にほぼ沿った姿勢で係止され、小型の外部動力を採用しても操作力のロスが小さくなって蓋，フレームの強固な密着を確実に解除するに充分な操作力を得ることができるようになる。また、アームがく字形に屈曲されることで、アームの耐荷重強度が高められる。
【００１３】
また、請求項２では、請求項１の蓋開放具において、外部動力として蓋の周囲の蓋設置地上面に設置されるジャッキが使用され、受座はジャッキのロッドの伸張を受けるものであることを特徴とする。
【００１４】
この手段では、小型の外部動力として蓋の周囲の蓋設置地上面に設置されるジャッキが選択される。
【００１５】
また、請求項３では、請求項１または２の蓋開放具において、連結具は蓋のフック用孔に挿入されて係止されるフックからなることを特徴とする。
【００１６】
この手段では、連結具として蓋のフック用孔に挿入されて係止されるフックが選択される。
【００１７】
また、請求項４では、請求項３の蓋開放具において、連結具は蓋のフック用孔の形状に対応して交換可能であることを特徴とする。
【００１８】
この手段では、連結具を交換することで、フック用孔の形状の異なる蓋の開放が可能になる。
【００１９】
また、請求項５では、請求項１または２の蓋開放具において、連結具は蓋に固定されたネジに螺合されるネジ体からなることを特徴とする。
【００２０】
この手段では、連結具として蓋に固定されたネジに螺合されるネジ体が選択される。
【００２１】
また、請求項６では、請求項５の蓋開放具において、連結具はアームからの吊持の長さを調整可能であることを特徴とする。
【００２２】
この手段では、連結具の吊持の長さに可変性が備えられる。
【発明の効果】
【００２３】
本発明に係る蓋開放具は、この原理が有効に機能されるようにアームが蓋を跨ぐ長さを有するように長尺に形成されたアームに第２種のてこ構造で連結具が吊持されることで、連結具が直上に引上げられるように開放される蓋に対して開放方向にほぼ沿った姿勢で係止され、小型の外部動力を採用しても操作力のロスが小さくなって蓋，フレームの強固な密着を確実に解除するに充分な操作力を得ることができるようになるため、装置構成を大型化させず蓋の開放の困難性を完全に解消することができる効果がある。また、アームがく字形に屈曲されることで、アームの耐荷重強度が高められるため、かなり重量があったりフレームとの密着度が高い蓋でも確実に開放することができる効果がある。
【００２４】
さらに、請求項２として、小型の外部動力として蓋の周囲の蓋設置地上面に設置されるジャッキが選択されるため、装置構成を確実に大型化させることがない効果がある。
【００２５】
さらに、請求項３として、連結具として蓋のフック用孔に挿入されて係止されるフックが選択されるため、蓋に対する連結作業が容易になる効果がある。
【００２６】
さらに、請求項４として、連結具を交換することで、フック用孔の形状の異なる蓋の開放が可能になるため、汎用性が高くなる効果がある。
【００２７】
さらに、請求項５として、連結具として蓋に固定されたネジに螺合されるネジ体が選択されるため、連結具と蓋との連結強度が高められて蓋の開放作業の安全性が確保される効果がある。
【００２８】
さらに、請求項６として、連結具の吊持の長さに可変性が備えられるため、蓋設置地上面寄りも深い位置にある蓋の開閉が可能になる効果がある。
【図面の簡単な説明】
【００２９】
【図１】本発明に係る蓋開放具を実施するための形態の側面図であり、（Ａ）に開放前の状態が示され、（Ｂ）に開放後の状態が示されている。
【図２】図１（Ａ）の要部の縦断面図である。
【図３】図２の分解状態の拡大斜視図である。
【図４】図３の一部の交換用部品を示す側面図である。
【図５】図３の一部の収納例を示す斜視図である。
【図６】図２とは別の蓋の開放を示す側面図である。
【図７】図６の要部の拡大斜視図である。
【発明を実施するための形態】
【００３０】
以下、本発明に係る蓋開放具を実施するための形態を図面に基づいて説明する。
【００３１】
この形態では、図１に示すように、道路等からなる蓋設置地上面Ｅに埋設固定されたリング形のフレーム（蓋受枠）Ｆに嵌合取付けされるマンホール蓋からなる蓋Ｍと、蓋設置地上面Ｅの地下に埋設されたタンクの点検用蓋として蓋Ｍの直下に設置された蓋Ｎとの開放に適用されるものを示してある。
【００３２】
まず、上方の蓋Ｍの開放について説明する。
【００３３】
蓋Ｍは、内周側の中蓋ＭａがパッキンＭｂを介して外周側の外蓋Ｍｃに嵌合され、外蓋ＭｃがパッキンＭｄを介してフレームＦに嵌合取付けされるようになっていて、外蓋Ｍｃが中蓋Ｍａと一体的に上方へ引上げられて開閉されるようになっている。外蓋Ｍｃには、開放用のフック工具が挿入されて係止される溝形のフック用孔Ｍｅが設けられている。
【００３４】
この形態は、図１〜図３に示すように、アーム１，支点部２，受座３，フック（連結具）４の各部で構成されている。
【００３５】
アーム１は、基板１１ａ，側板１１ｂからなる断面コ字形の金属材で蓋Ｍを跨ぐ長さを有するように長尺に形成されたアーム本体１１を備えている。アーム本体１１は、コ字形の開放側（基板１１ａの反対側）が下方（蓋Ｍ）に向けられて使用されるもので、コ字形の開放側方向へく字形に屈曲されている。アーム本体１１の一端部の側板１１ｂには、支点部２を取付けるための支点部取付孔１２が穿孔されている。アーム本体１１の他端部寄り（く字形の屈曲位置よりも他端部寄りの位置）の基板１１ａには、フック４を取付けるためのフック取付孔１３が穿孔されている。アーム本体１１の内部には、支点部取付孔１２よりも少し他端部寄りの１箇所とフック取付孔１３から少し間隔を介した２箇所に基板１１ａ，側板１１ｂの双方に当接されるスペーサ的な形状の内部補強板１４が固定されている。アーム本体１１の外部には、基板１１ａに支点部取付孔１２を囲む格好で支点部取付孔１２と同径に連通する孔が穿孔された基板補強板１５が固定され、側板１１ｂにく字形の屈曲の前後に渡る格好で側板補強板１６が固定されている。なお、アーム本体１１の他端部には、基板１１ａ，側板１１ｂの側端面に当接される補強を兼ねた閉塞板１７が固定されている。
【００３６】
支点部２は、蓋設置地上面Ｅに当接される平板形の基板２１に２枚の起立板２２が補強板２３で補強されて相対するように立設され、起立板２２の上部に穿孔された軸孔２４に支軸２５が挿通され抜止ピン２６で抜止めされるようになっている。起立板２２は、アーム１のアーム本体１１の相対する側板１１ｂの外側面に当接され、上端面がアーム１のく字形の屈曲に対応して突出しないように傾斜されている。支軸２５は、アーム１の支点部取付孔１２にも挿通されアーム１のアーム本体１１の側板１１ｂの外側で抜止ピン２６で抜止めされるようになっている。
【００３７】
この支点部２は、基板２１が蓋設置地上面Ｅに当接され支軸２５でアーム１のアーム本体１１を回動可能に支持することで、てこの支点となる。
【００３８】
受座３は、アーム１のアーム本体１１の他端部の側板１１ｂの下端面に固定された方形の座板３１の下面の４辺縁に短尺板形の枠板３２が固定されてなる。座板３１は、蓋設置地上面Ｅに設置されたジャッキＪのロッドの伸張を受ける座面となる。枠板３２は、蓋設置地上面Ｅに設置されたジャッキＪの伸張するロッドの横ずれを防止するストッパとなる。
【００３９】
この受座３は、回動するアーム１のアーム本体１１の他端部に固定的に設けられることで、てこの力点となる。
【００４０】
連結具であるフック４は、吊ボルト部材４１にフック本体４２が支持されてなる。吊ボルト部材４１は、上部にワッシャ４１ａが嵌合されナット４１ｂが螺合されるネジ部が刻設された吊ボルト本体４１ｃの下部にフック本体４２が連結される断面コ字形の連結片４１ｄが設けられている。吊ボルト本体４１ｃは、アーム１のフック取付孔１３に挿通され基板補強板１５の上方でナット４１ｂが螺合されることで、アーム１のアーム本体１１に吊持される。なお、吊ボルト本体４１ｃの径については、吊ボルト本体４１ｃを遊嵌状態でアーム１のフック取付孔１３に挿通されるように、アーム１のフック取付孔１３の径よりも少し小さく設定される。連結片４１ｄには、フック本体４２を連結する連結ボルト４１ｅが挿通される連結孔４１ｆが穿孔されている。フック本体４２は、蓋Ｍのフック用孔Ｍｅに挿入される棒形の挿入棒４２ａの下端部に蓋Ｍのフック用孔Ｍｅに係止される断面半円形のフック片４２ｂが設けられ、挿入棒４２ａの上端部に吊ボルト部材４１の連結片４１ｄに回動可能に連結されるブロック４２ｃが設けられている。ブロック４２ｃは、吊ボルト部材４１の連結片４１ｄの間に挟入される薄性のブロック片形に形成され、吊ボルト部材４１の連結ボルト４１ｅが挿入される連結孔４２ｄが穿孔されている。
【００４１】
このフック４は、回動するアーム１のアーム本体１１の中途部に吊持されることで、てこの作用点となる。
【００４２】
この形態を使用するには、図１（Ａ）に示すように、蓋Ｍの周囲の蓋設置地上面Ｅに支点部２の基板２１を当接させて蓋Ｍを跨ぐようにしてアーム１を配設する。
【００４３】
そして、蓋Ｍの周囲の蓋設置地上面Ｅに設置されたジャッキＪの非伸張状態のロッドをアーム１のアーム本体１１の他端部に位置する受座３の座板３１に当接させる。このとき、好ましくは、アーム１のアーム本体１１のく字形に屈曲した他端部側が水平（蓋Ｍと平行）になるようにする。
【００４４】
続いて、フック４のフック本体４２の挿入棒４２ａ，フック片４２ｂを蓋Ｍのフック用孔Ｍｅに挿入させ係止させる。このとき、フック４のフック本体４２のブロック４２ｃが吊ボルト部材４１の連結片４１ｄに回動可能に連結されているため、吊ボルト部材４１に対してフック本体４２を屈曲させることで、フック本体４２の挿入棒４２ａ，フック片４２ｂを容易に蓋Ｍのフック用孔Ｍｅに挿入させ係止させることができる。
【００４５】
続いて、フック４の吊ボルト部材４１のナット４１ｂを回動締付けして、アーム１のアーム本体１１と蓋Ｍとの間におけるフック４の無用の緩み，屈曲を消失させる。
【００４６】
この後、図１（Ｂ）に示すように、ジャッキＪを駆動する。
【００４７】
ジャッキＪが駆動されると、伸張したロッドが受座３を介してアーム１のアーム本体１１の他端部側を押上げることになる。この結果、アーム１のアーム本体１１が支点部２を支点として回動され、アーム１の回動に伴ってフック４が蓋Ｍを引上げることになる。即ち、蓋Ｍが開放されることになる。
【００４８】
蓋Ｍを引上げるフック４は、本来直上に引上げられるように開放される蓋Ｍに対して開放方向にほぼ沿った姿勢で係止される。従って、ジャッキＪのロッドの押上力が、少ないロスで操作力として作用される。この結果、蓋Ｍ，フレームＦの強固な密着を確実に解除するに充分な操作力を得ることができる。そして、操作力の源として外部動力であるジャッキＪが採用され、アーム１のアーム本体１１に蓋Ｍを跨ぐ長さを確保してこの原理が有効に機能されるようにしていることも、蓋Ｍ，フレームＦの強固な密着を確実に解除するに充分な操作力を得ることに寄与する。なお、アーム１のアーム本体１１に補強構造（く字形の屈曲，内部補強板１４，基板補強板１５，側板補強板１６）が設けられて耐荷重強度が高められているため、かなり重量があったりフレームＦとの密着度が高い蓋Ｍでも確実に開放することができる。
【００４９】
蓋Ｍの開放では、図１（Ｂ）に示すように、フレームＦから一部分を引上げるような格好（少し傾斜する）まで本発明の係る蓋開放具を使用し、その後に蓋Ｍのフック用孔Ｍｅに専用のフック工具を係止させてフレームＦから完全に引上げる開放態様が採られる。即ち、本発明の係る蓋開放具は、蓋Ｍ，フレームＦの強固な密着を解除するための開放具として使用される。なお、本発明の係る蓋開放具によって蓋Ｍ，フレームＦの強固な密着が解除された後には、専用のフック工具で抵抗なく容易に蓋Ｍを完全に解放することが可能になる。また、アーム１のアーム本体１１の回動域が小さいため、ロッドの長い伸張長を期待することができないジャッキＪでも外部動力として有効に機能させることができる。ジャッキＪの採用は、装置構成の大型化を避けることにもなる。
【００５０】
本発明の係る蓋開放具を使用した蓋Ｍの開放では、蓋Ｍの傾斜に伴ってフック４の引上げ方向が少し変化することになるが、フック４の吊持構造に自由度（アーム１のフック取付孔１３とフック４の吊ボルト部材４１の吊ボルト本体４１ｃとの径の差やフック４の吊ボルト部材４１，フック本体４２の回動可能な連結）があるため、フック４に無用の応力が掛かってフックが損傷したり蓋Ｍの開放が困難になったりすることはない。
【００５１】
さらに、この形態では、図４に示すように、フック４のフック本体４２のフック片４２ｂに形状を異ならせたものを交換用部材として用意しておくことで、フック用孔Ｍｅの形状の異なる蓋Ｍの開放が可能になる。この結果、汎用性を高めることができる。
【００５２】
さらに、この形態では、図５に示すように、分解したフック４を袋状，シート状の包装材Ｐで包んでアーム１のアーム本体１１のコ字形の空間に収納してベルトＢで固定するようにすると、非使用時の収納，運搬に便利である。
【００５３】
次に、下方の蓋Ｎの開放について説明する。
【００５４】
蓋Ｎには、フランジＮａに載せられた上面蓋Ｎｂに雌ネジ筒からなるネジＮｃが突出固定されている。
【００５５】
この蓋Ｎの開放のために、連結具である前述のフック４をネジ体５としてある。
【００５６】
ネジ体５は、フック４の吊ボルト部材４１と完全に共通した吊ボルト部材５１と、フック４のフック本体４２に一部が共通したネジ本体５２とが備えられている。なお、ネジ本体５２には、図７に詳細に示されるように、ブロック５２ｃの下部に調整用ボルト５２ｅが挿通される挿通孔５２ｆが穿孔された長尺の固定板５２ａが固定され、調整用ボルト５２ｅが選択的に挿通される挿通孔５２ｆが一定間隔で穿孔され固定板５２ａに当接される可動板５２ｇの下部に蓋ＮのネジＮｃに螺合される雄ネジのネジ柱５２ｂが固定されている。
【００５７】
従って、図６に示すように、ネジ体５のネジ本体５２のネジ柱５２ｂを蓋ＮのネジＮｃに螺合させて接続し、ネジ本体５２の固定板５２ａ，可動板５２ｇで長さ調整することで、蓋設置地上面Ｅから深い位置にある蓋Ｎに本発明に係る蓋開放具を適用することができる。
【００５８】
蓋Ｎの開放に際してジャッキＪを駆動した作用，効果については、前述の上方の蓋Ｍの場合とほぼ一致している。
【００５９】
以上、図示した形態の外に、アーム１のフック取付孔１３を長孔形状とする等により、アーム１のアーム本体１１の長さ方向にフック４の吊持位置を変更できるようにすることも可能である。
【００６０】
さらに、外部動力としてアーム１の他端部を引上げるような機器を選択することも可能である。
【産業上の利用可能性】
【００６１】
本発明に係る蓋開放具は、マンホール蓋やタンクの点検用蓋以外の広範な蓋類に使用することが可能である。  
【符号の説明】
【００６２】
１            アーム
１１          アーム本体
２            支点部
３            受座
４            フック（連結具）
５            ネジ体（連結具）
Ｅ            蓋設置地上面
Ｆ            フレーム
Ｊ            ジャッキ
Ｍ            蓋（上方の）
Ｍｅ          フック用孔
Ｎ            蓋（下方の）
Ｎｃ          ネジ
【図１】
0005988548.tif 000002
【図２】
0005988548.tif 000003
【図３】
0005988548.tif 000004
【図４】
0005988548.tif 000005
【図５】
0005988548.tif 000006
【図６】
0005988548.tif 000007
【図７】
0005988548.tif 000008